(57)【要約】【課題】刈取り物の曲がり具合、重量等に左右されることなく、常に安定して刈り取りできる長物刈り取り用カッターユニットを得る。【解決手段】複数の回転軸（３）を所定ピッチで並列に設けるとともに、各回転軸（３）を回転させる駆動装置（１０）を設け、円錐状主体の表面に刃（１２ａ）が形成され、かつ大径側の基部が前記回転軸（３）のピッチ寸法に接近する径に形成されてなる回転カッター（１２）を複数個設け、前記各回転カッター（１２）を並列に配置してそれぞれの基部を前記各回転軸（３）に個別に連結する。また、各回転軸（３）を駆動装置（１０）によって等速で回転させる。【選択図】図１
2007074915.tif 000002
【特許請求の範囲】
【請求項１】
複数の回転軸（３）を所定ピッチで並列に設けるとともに、各回転軸（３）を回転させる駆動装置（１０）を設け、円錐状主体の表面に刃（１２ａ）が形成され、かつ大径側の基部が前記回転軸（３）のピッチ寸法に接近する径に形成されてなる回転カッター（１２）を複数個設け、前記各回転カッター（１２）を並列に配置してそれぞれの基部を前記各回転軸（３）に個別に連結したことを特徴とする長物刈り取り用カッターユニット。
【請求項２】
各回転軸（３）は駆動装置（１０）によって等速で回転されてなることを特徴とする請求項１記載の長物刈り取り用カッターユニット。
【発明の詳細な説明】
【技術分野】
【０００１】
本発明は、成育している竹、雑木等を刈り取る長物刈り取り用カッターユニットに関するものである。
【背景技術】
【０００２】
従来の技術として、平行する２本のカッター軸をカッターフレームから下方に突出させ、各カッター軸の下端にそれぞれ円板状の回転カッターを互いに接近させて取り付け、前記各回転カッターをモーターにより互いに逆向きに回転させることにより、各回転カッター間に介在する砂糖きび（刈取り物）を刈り取るようにしたものがあった。
【０００３】
このものは、回転カッターを支持するカッター軸が刈取り物の起立する方向と同じ方向に延出し、また、該カッター軸を支持するカッターフレームが前記回転カッターの上方に位置していたため、刈取り物が曲がっていたり、周囲に枝等の障害物があったりすると、これらがカッター軸あるいはカッターフレームに衝突し、回転カッターが刈取り物に安定して接触しなくなる。また、円板状の回転カッターは曲げ剛性が乏しく、竹、雑木等の如く重量の有るものを切断する際には、回転カッターに厚さ方向の負荷が加わって該回転カッターが損傷することになる。
【特許文献１】特開２０００−６０２６４号公報
【発明の開示】
【発明が解決しようとする課題】
【０００４】
本発明は、刈取り物の曲がり具合、重量等に左右されることなく、常に安定して刈り取りできる新規な長物刈り取り用カッターユニットを得ることを目的とする。
【課題を解決するための手段】
【０００５】
本発明は、前記目的を達成するために以下の如く構成したものである。即ち、請求項１に係る発明は、複数の回転軸を所定ピッチで並列に設けるとともに、各回転軸を回転させる駆動装置を設け、円錐状主体の表面に刃が形成され、かつ大径側の基部が前記回転軸のピッチ寸法に接近する径に形成されてなる回転カッターを複数個設け、前記各回転カッターを並列に配置してそれぞれの基部を前記各回転軸に個別に連結する構成にしたものである。
請求項２に係る発明は、前記各回転軸を駆動装置によって等速で回転させるようにしたものである。
【発明の効果】
【０００６】
本願発明は、駆動装置によって各回転軸が回転されると、該回転軸に連結された回転カッターがそれぞれ個別に回転されることになる。この状態で前記回転カッターを刈取り物に向けて進行させると、各回転カッターが、その先端側から前記刈取り物の両側に接触し、この部を切削し始める。前記進行が進むにつれて各回転カッターの刈取り物との接触位置が次第に基部側に移行し、これに伴って前記刈取り物の両側の切削深さが次第に増大する。そして、各回転カッターの基部が前記刈取り物に到来した時点で該刈取り物が切断、つまり刈り取られることになる。
この場合、前記各回転カッターは、各回転軸から進行方向前方に突出しているため、刈取り物が曲がっていたり、周囲に枝等の障害物があったりしていても、各回転カッターはこれらに阻害されなることなく安定して刈取り物に接触し、該刈取り物を円滑に刈り取ることになる。また、各回転カッターは円錐形であるため、曲げ剛性が高く、刈取り物による曲げ方向の負荷を受けても損傷することがなくなる。
また、前記各回転軸の回転速度を等速にしたので、各回転カッターによる刈取り物の切削量が略等しくなり、該刈取り物の姿勢を安定させた状態で刈り取ることができる。
【発明を実施するための最良の形態】
【０００７】
以下本発明の実施の形態を図面に基いて説明する。図面において、図１は本発明の第１実施例を示す一部断面平面図、図２は図１の側面図、図３は本発明の第２実施例を示す一部断面平面図、図４は回転軸部の説明用正面図である。
【０００８】
図１、図２において、１はカッターユニット、２はそのギアケースである。該ギアケース２は、内部に２本の回転軸３（３ａ，３ｂ）を約１５０ｍｍの間隔をおいて平行に配置するとともに、ベアリング４を介して前記ギアケース２内に回転自在に支持し、各回転軸３ａ，３ｂにそれぞれ同歯数の被動ギア５（５ａ，５ｂ）を固定する。なお、前記回転軸３ａ，３ｂの間隔は後述する回転カッター１２の径に対応させて適宜設定する。
【０００９】
前記ギアケース２の後部（図１において右部）に原動機１０（駆動装置）を連結し、該原動機１０の出力軸に駆動ギア１１を取り付け、該駆動ギア１１をギアケース２内に突出させて前記各被動ギア５ａ，５ｂに噛み合わせる。前記原動機１０は、エンジン、油圧モーター、又は電動モーター等からなる。また、図２に示すように、前記ギアケース２の上部にブラケット２ａを取付ける。該ブラケット２ａはカッターユニット１を油圧ショベル等のアームに取り付けるためのものである。
【００１０】
前記各回転軸３ａ，３ｂの延長線上に位置するギアケース２の前部（図１において左部）に、ベアリング９を介して２個のチャック７（７ａ，７ｂ）を回転自在に取り付け、該チャック７ａ，７ｂを前記回転軸３ａ，３ｂに連結する。前記各チャック７ａ，７ｂの前端部はギアケース２から前方（図１において左方）に突出させ、この部に回転カッター１２を着脱可能に取り付ける。８は回転カッター１２固定用の止めボルトである。
【００１１】
前記回転カッター１２は、先端の径が約３０ｍｍ、基部の径が約１４８ｍｍとなる円錐状に形成され、表面に多数の歯１２ａを有するとともに、基部の軸心部に小径の取付け軸１２ｂを一体に有する。前記各歯１２ａは先端から基部に向かって直線状に延長形成され、断面は鋸歯形となっている。なお、前記歯１２ａは先端から基部に向かって螺旋状に捩じらせてもよく、あるいは主体の表面に小突起の歯を点在させて形成するようにしてもよい。また、前記回転カッター１２の径は、刈取物、例えば竹の径に対応させて適宜設定する。
【００１２】
前記回転カッター１２を２個用意し、その取付け軸１２ｂをそれぞれ前述したチャック７ａ，７ｂに差し込み、止めボルト８，８を締め込んでチャック７ａ，７ｂに固定する。これにより、各回転カッター１２（１２−１，１２−２）を並列に位置決めして前述した回転軸３ａ，３ｂに個別に連結する。
【００１３】
図３、図４は４個の回転カッターを有するカッターユニットの第２実施例を示す。図３において、１−１はカッターユニット、２−１はそのギアケースである。該ギアケース２−１は、内部に４本の回転軸３（３ａ〜３ｄ）を約１５０ｍｍの間隔をおいて平行に配置するとともに、ベアリング（符号省略）を介してギアケース２−１に回転自在に支持し、各回転軸３ａ〜３ｄにそれぞれ同歯数の歯付きプーリーからなる被動ギア５（５ａ〜５ｄ）を固定する。なお、前記回転軸３ａ〜３ｄの間隔は回転カッター１２の径に対応させて適宜設定する。
【００１４】
前記ギアケース２−１の後部（図３において右部）に前述と同様の原動機１０を連結し、該原動機１０の出力軸に歯付きプーリーからなる駆動ギア１１を取り付け、該駆動ギア１１をギアケース２−１内に突出させる。前記各被動ギア５ａ〜５ｄは、図４に示すように、タイミングベルト６を介して前記駆動ギア１１に連結する。図４において６ａは前記タイミングベルト６をガイドするガイドギアである。なお、前記各被動ギア５ａ〜５ｄをスプロケットに、前記タイミングベルト６をチェーンに換えてもよい。
【００１５】
前記各回転軸３ａ〜３ｄの延長線上に位置するギアケース２−１の前部（図３において左部）に、ベアリング９を介して４個のチャック７（７ａ〜７ｄ）を回転自在に取り付け、該チャック７ａ〜７ｄを前記回転軸３ａ〜３ｄに連結する。前記各チャック７ａ〜７ｄの前端部はギアケース２−１から前方（図３において左方）に突出させ、この部に前述と同様の回転カッター１２を着脱可能に取り付ける。８は回転カッター１２固定用の止めボルトである。
【００１６】
前記回転カッター１２を４個用意し、その取付け軸１２ｂをそれぞれ前述したチャック７ａ〜７ｄに差し込み、止めボルト８を締め込んでチャック７ａ〜７ｄに固定する。これにより、各回転カッター１２（１２−１〜１２−４）を並列に位置決めして前述した回転軸３ａ〜３ｄに個別に連結する。その他は前述した第１実施例と略同様の構造となっている。
【００１７】
前記実施例によれば、カッターユニット１（１−１）を、例えば油圧ショベルのアーム先端部に取り付け、該油圧ショベルによって前記カッターユニット１を山間地等で成育している刈取り物、例えば竹Ｗの根元部に位置させる。この状態で原動機（駆動装置）１０を起動させると、回転軸３、チャック７を介して各回転カッター１２が等速で回転される。そして、前記油圧ショベルにより各回転カッター１２を竹Ｗに向けて進行させると、各回転カッター１２は、その先端側から前記竹Ｗの両側に接触し、この部を切削し始める。前記進行が進むにつれて各回転カッター１２の竹Ｗとの接触位置が次第に基部側に移行し、これに伴って前記竹Ｗの両側の切削深さが次第に増大する。そして、各回転カッター１２の基部が前記竹Ｗに到来した時点で該竹Ｗが切断、つまり刈り取られることになる。
【００１８】
この場合、前記各回転カッター１２は、各回転軸３、ギヤケース２から進行方向前方に突出しているため、竹Ｗが曲がっていたり、周囲に枝等の障害物があったりしても、各回転カッター１２はこれらに阻害されなることなく安定して竹Ｗに接触し、該竹Ｗを円滑に刈り取ることになる。また、各回転カッター１２は円錐形であるため、曲げ剛性が高く、切断時に竹Ｗによる曲げ方向の負荷を受けても損傷することがなくなる。
【図面の簡単な説明】
【００１９】
【図１】本発明の第１実施例を示す一部断面平面図である。
【図２】図１の側面図である。
【図３】本発明の第２実施例を示す一部断面平面図である。
【図４】回転軸部の説明用正面図である。
【符号の説明】
【００２０】
１（１−１）    カッターユニット
２    ギアケース
２ａ  ブラケット
３（３ａ〜３ｄ）  回転軸
４    ベアリング
５（５ａ〜５ｄ）  被動ギア（歯付きプーリー）
６    タイミングベルト
７（７ａ〜７ｄ）  チャック
８    止めボルト
９    ベアリング
１０    原動機（駆動装置）
１１    駆動ギア（歯付きプーリー）
１２（１２−１〜１２−４）  回転カッター
１２ａ  歯
１２ｂ  取付け軸
【図１】
2007074915.tif 000003
【図２】
2007074915.tif 000004
【図３】
2007074915.tif 000005
【図４】
2007074915.tif 000006